(57)【特許請求の範囲】
【請求項１】
遠距離及び特に「無限」を見るために設計された領域（遠方部分）と、近距離及び特に「読書」距離を見るために設計された領域（近方部分）と、前記遠方部分と前記近方部分との間に設けられていて、眼鏡レンズの度数が、前記遠方部分に位置している遠方標準点における値から前記近方部分に位置している近方標準点の値へ、鼻の方へ湾曲した曲線（主線）に沿って強まってなる累進ゾーンとを有する眼鏡レンズにおいて、
主光線と前面との複数の交点によって描かれる曲線に沿った、視線が水平方向に動く際の、結像特性の変化、を最小限にするために、これらの主光線は、動きの始めに、座標（ｘ−ｄｘ，ｙ，ｓ）を有する点を通り、動きの終りに、座標（ｘ＋ｄｘ，ｙ，ｓ）を有する点まで通るときに、但し、ｓ＝−４０ｍｍ及びｄｘ＝１０ｍｍであり、前記曲線上に生じる最小の非点収差と最大の非点収差との差の絶対値が次表に記載した各ｘ、ｙ、球面屈折率、加入度において、それぞれの場合における以下のＡＨよりも小さいことを特徴とする眼鏡レンズ。
【表１】
0004926358.tif 000038
【表２】
0004926358.tif 000039
【表３】
0004926358.tif 000040
【表４】
0004926358.tif 000041
【表５】
0004926358.tif 000042
【表６】
0004926358.tif 000043
【表７】
0004926358.tif 000044
【表８】
0004926358.tif 000045
【表９】
0004926358.tif 000046
【請求項２】
曲線上に生じる最小の平均的度数と、最大の平均的度数との差の絶対値が、次表に記載したそれぞれの場合における以下のＢＨよりも小さいことを特徴とする請求項１に記載の眼鏡レンズ。
【表１０】
0004926358.tif 000047
【表１１】
0004926358.tif 000048
【表１２】
0004926358.tif 000049
【表１３】
0004926358.tif 000050
【表１４】
0004926358.tif 000051
【表１５】
0004926358.tif 000052
【表１６】
0004926358.tif 000053
【表１７】
0004926358.tif 000054
【表１８】
0004926358.tif 000055
【請求項３】
曲線上の非点収差の第１の微分係数の最大値の絶対値は、次表に記載したそれぞれの場合における以下のＡＧよりも小さいことを特徴とする請求項１又は２に記載の眼鏡レンズ。
【表１９】
0004926358.tif 000056
【表２０】
0004926358.tif 000057
【表２１】
0004926358.tif 000058
【表２２】
0004926358.tif 000059
【表２３】
0004926358.tif 000060
【表２４】
0004926358.tif 000061
【表２５】
0004926358.tif 000062
【表２６】
0004926358.tif 000063
【表２７】
0004926358.tif 000064
【請求項４】
曲線上の平均度数の第１の微分係数の最大値の絶対値は、次表に記載したそれぞれの場合における以下のＢＧよりも小さいことを特徴とする請求項１乃至３のいずれか１に記載の眼鏡レンズ。
【表２８】
0004926358.tif 000065
【表２９】
0004926358.tif 000066
【表３０】
0004926358.tif 000067
【表３１】
0004926358.tif 000068
【表３２】
0004926358.tif 000069
【表３３】
0004926358.tif 000070
【表３４】
0004926358.tif 000071
【表３５】
0004926358.tif 000072
【表３６】
0004926358.tif 000073
【請求項５】
前記ＡＨ、前記ＢＨ、前記ＡＧ、または前記ＢＧの値に関して補間されるか又は補外される値は、前記表に挙げられていない処方に当て嵌まることを特徴とする請求項１乃至４のいずれか１に記載の眼鏡レンズ。
【発明の詳細な説明】
【０００１】
【発明の属する技術分野】
本発明は、視線が水平方向に動く際の、着用位置での特性の僅かな動的変化を有する、請求項１の前提部分に記載の累進型の眼鏡レンズに関する。
【０００２】
累進型の眼鏡レンズ（可変焦点レンズ、多焦点レンズ等とも呼ぶ）は、通常、眼鏡を掛けた人が遠距離にある物体を観察するときの領域（以下遠方部分と呼ぶ）で、眼鏡を掛けた人が近くの物体を観察するときの領域（近方部分）とは異なる（より少ない）度数を有する眼鏡レンズを意味する。遠方部分と近方部分との間には、眼鏡レンズの度数が遠方部分の度数から近方部分の度数へと連続的に増大するいわゆる累進ゾーンが設けられている。度数の増大の値は度数の追加とも呼ばれている。
【０００３】
通常、遠方部分は眼鏡レンズの上方部分に設けられており、「無限」を見るために設計されており、これに対し、近方部分は下方部分に設けられており、特に読書のために設計されている。特殊な使用（ここでは、典型的に、パイロット用眼鏡又はビデオワークステーション用の眼鏡を挙げておく）のために、遠方部分及び近方部分が異なった位置に設けられ及び／又は異なった距離のために設計されていることができる。更に、複数の遠方部分及び／又は複数の近方部分並びに両部分に対応する累進ゾーンが存在することも可能である。
【０００４】
一定の屈折率を有する累進型の眼鏡レンズの場合、遠方部分と近方部分の度数の増加にとって、１つ又は２つの面の曲率が遠方部分から近方部分へ連続的に変化することが必要である。
【０００５】
眼鏡レンズの表面は、通常、表面の各点におけるいわゆる主曲率半径Ｒ１及びＲ２を有すること特徴とする。（主曲率半径の代わりに、いわゆる主曲率Ｋ１＝１／Ｒ１及びＫ２＝１／Ｒ２も時々記述する）。主曲率半径は、レンズ材料の屈折率ｎと共に、表面の眼科学的特徴付けのためにしばしば用いられるパラメータ：
表面度数    Ｄ＝０．５・（ｎ−１）・（１／Ｒ１＋１／Ｒ２）
表面非収差  Ａ＝（ｎ−１）・（１／Ｒ１−１／Ｒ２）
を規定する。
【０００６】
表面度数Ｄは、遠方部分から近方部分への度数の増大が達成されるときに用いられるパラメータである。表面非収差Ａ（分かり易く言えば円柱レンズの度数）は「望ましくない性質」である。何故ならば、目が、修正される非点収差さえ有しない限りでは、約０．５ｄｐｔの値を越える非点収差は、不明瞭として網膜上に知覚された像をもたらすからである。
【０００７】
【従来の技術】
表面度数の増大の達成に必要でありかつ「望ましくない」表面非点収差が生じない、表面の曲率の変化は、（平坦な又は湾曲した）線に沿って比較的容易に達成される。しかし乍ら、この線の側方には、表面の強い「交点」が生じ、このような交点は、前記線の側方にある領域ではレンズを多かれ少なかれ損なう大きな表面非点収差をもたらす。
【０００８】
これらの交点の他の結果は、眼鏡レンズが、交点に対応する観察位置に、鼻及び側頭部で異なる性質を有することである。このことによって、特に両眼視が損なわれることがある。このことは、特に、視線が動く間、目につくので、望ましくない。
【０００９】
眼鏡を掛けた人が、頭を静止に保ちつつ、動く物体を追跡するとき、その人の視覚的印象は、一方では、物体の追跡に必要な目の動きの際に見る位置での、眼鏡の２つの単レンズの結像性能に依存する。眼鏡を掛けた人は、これらの観察点で、僅かな収差（非点収差、屈折エラー等）を見出すとき、物体を、大きな収差の場合よりも明瞭に見る。
【００１０】
しかし、他方では、見る際には、通常、両眼が係わり、全体の視覚的印象が両眼の視覚的印象からなっている。
【００１１】
例えば、そもそも物体を両眼で単一に見ることができるか否か、融合への努力がどれ程大きいか、及び眼鏡を掛けた人が、物体を両眼で同様に明瞭に知覚するか、あるいは、例えば一方の目で良く、他方の目で悪く知覚するかが、重要である。
【００１２】
最後に、物体が動く場合、目で追う最中の両眼によるこのような視覚的印象の変化は重要である。
【００１３】
【発明が解決しようとする課題】
請求項１の前提部分に記載の累進型の眼鏡レンズを、結像の質として重要な光学的パラメータが、視線が動く際に、出来る限り僅かに変化するように、改善するという課題が本発明の基礎になっている。
【００１４】
【課題を解決するための手段】
この課題の、本発明による解決は、請求項１に記載されている。本発明の実施の形態は従属請求項の主題である。
【００１５】
通常、眼鏡レンズは、表面の又は着用状況の所定の特性の、等値線による２次元的な表示（プロット）によって、評価されかつ広告で示される。着用位置の重要な値を得るのは、例えば、まず、眼鏡レンズ上の点と目の回転点を通る主光線を規定し、続いて、最後にプロットされる特性を有する波面を、主構成に沿って計算することによってである。
【００１６】
従って、局部的な波面に属する特性は、夫々の視角のために得られる。
【００１７】
視線が例えば水平方向に動く際の、眼鏡レンズの性能を、これらのプロットから容易に読み取ることはできない。何故ならば、動きによって生じる、眼鏡レンズにおける、主光線の交点の列が、認識されないからである。
【００１８】
プロットでは、水平方向のメレジアンの値を容易に読み取ることが容易に想到されるが、これは、垂直方向プリズムがこのメレジアンで変化するとき、間違っている。このことはほぼ常に当て嵌まる。
【００１９】
典型的な状況は、頭を静止している間に、眼鏡を掛けた人に、水平方向に動かされる、視線を止める物点が示されることである。視線のこのような水平方向の動きは、例えば、読書の際又はコンピュータでの仕事の際に、しばしば生じる。目がこのように動く最中に、観察される物点についての眼鏡を掛ける人の視覚的印象が変化する。何故ならば、視線が、異なった結像性能を有するレンズ領域の中を移動するからである。着用位置での値、特に度数及び非点収差が変化する。
【００２０】
以下、本発明を、図面を参照して、複数の実施の形態に基づき、一般的な発明的思想の限定なしに、例により説明する。更に、本文に詳細に説明されない、本発明に係わるすべての詳細の、その開示内容に関しては、本発明を参照するよう明らかに指示する。
【００２１】
【発明の実施の形態】
図１及び２は、結像特性の比較として、以下の処方
球面の度数    ｓｐｈ    ＋０．５ｄｐｔ
非点の度数    ｚｙｌ      ０ｄｐｔ
度数の増加    ａｄｄ  ２．０ｄｐｔ
プリズム      Ｐｒ        ０ｃｍ／ｍ
を有する、市場に出ている種々の右側レンズにおける、本発明に係わる眼鏡レンズの場合と比較しての、視線が水平方向に動く際の、非点収差及び度数の変化を示している。
【００２２】
本発明に係わる眼鏡レンズには、参照符号１が、眼鏡レンズ「シーゼット・グラダル・トップ(CZ GRADAL Top)」には参照符号２が、眼鏡レンズ「エシラー・ヴァリラックス・コンフォート(Essilar Varilux Comfort)」には参照符号３が付されている。
【００２３】
例として、中央の主光線が座標Ｐ（ｘ＝−１５ｍｍ，ｙ＝１５ｍｍ，ｚ＝−４０ｍｍ）を有する点を通る場合を、選び出した。用いられた座標系は、眼鏡レンズの、物体側の頂点に、自らの原点を有し、ｚ軸は光の方向を示している。
【００２４】
物点は、座標ｘ＝−２７．５ｍｍ乃至ｘ＝７．５ｍｍから、都合２０ｍｍだけ水平方向に動かされる。眼鏡レンズでは、このことは、約ｙ＝７ｍｍの高さにおける約−１２ｍｍ乃至−３ｍｍのｘ座標に対応する。
【００２５】
本発明の主題の場合、視線が、水平方向に動かされる物体を追跡する間に、結像特性の、公知の眼鏡レンズより僅かな変化が明示される。
【００２６】
本発明に係わる眼鏡レンズの場合、度数及び非点収差のような結像特性は、視線が動く間、明らかに公知の眼鏡レンズより僅かに変化する。この事実は、いわゆるリフト、すなわち観察された特性の最大値と最小値の差に関する数値に、及び最大の変化、すなわち、主光線と前面との交点によって描かれる経路に沿っての、観察された特性の第１の微分係数の数の最大値、その最大値に関する数値に表現される。
【００２７】
従って、本発明に係わる累進型眼鏡レンズは、視線が水平方向に動く際の結像特性の変化及びこの変化に関連した刺激が出来る限り僅かであることを特徴とする。
【００２８】
このことが達成されるのは、主光線と前面との交点によって描かれる曲線に沿った、視線が水平方向に動く際の、結像特性の変化を、最小限に減少するために、しかも、これらの主光線は、動きの始めに、座標（ｘ−ｄｘ，ｙ，ｓ）を有する点を通り、動きの終りに、座標（ｘ＋ｄｘ，ｙ，ｓ）を有する点を通るときに、但し、ｓ＝−４０ｍｍ及びｄｘ＝１０ｍｍであり、曲線上に生じる最小の非点収差と最大の非点収差との差の絶対値が、球面の度数と度数の増加の種々の値に関して以下に例として挙げる値ＡＨよりも小さいことによってである。
【００２９】
【表３７】
0004926358.tif 000002
【表３８】
0004926358.tif 000003
【表３９】
0004926358.tif 000004
【表４０】
0004926358.tif 000005
【表４１】
0004926358.tif 000006
【表４２】
0004926358.tif 000007
【表４３】
0004926358.tif 000008
【表４４】
0004926358.tif 000009
【表４５】
0004926358.tif 000010
更に、曲線上に生じる最小の平均的度数と、最大の平均的度数との差の絶対値が、球面の度数及び度数の増加の種々の値に関して以下に例として挙げるＢＨよりも小さいことは、好ましい。
【００３０】
【表４６】
0004926358.tif 000011
【表４７】
0004926358.tif 000012
【表４８】
0004926358.tif 000013
【表４９】
0004926358.tif 000014
【表５０】
0004926358.tif 000015
【表５１】
0004926358.tif 000016
【表５２】
0004926358.tif 000017
【表５３】
0004926358.tif 000018
【表５４】
0004926358.tif 000019
他の好ましい実施の形態では、曲線上の非点収差の第１の微分係数の最大値の絶対値は、以下に挙げる値ＡＧよりも小さい。
【００３１】
【表５５】
0004926358.tif 000020
【表５６】
0004926358.tif 000021
【表５７】
0004926358.tif 000022
【表５８】
0004926358.tif 000023
【表５９】
0004926358.tif 000024
【表６０】
0004926358.tif 000025
【表６１】
0004926358.tif 000026
【表６２】
0004926358.tif 000027
【表６３】
0004926358.tif 000028
特に、曲線上の平均度数の第１の微分係数の最大値の絶対値は、以下のＢＧよりも小さくてよい。
【００３２】
【表６４】
0004926358.tif 000029
【表６５】
0004926358.tif 000030
【表６６】
0004926358.tif 000031
【表６７】
0004926358.tif 000032
【表６８】
0004926358.tif 000033
【表６９】
0004926358.tif 000034
【表７０】
0004926358.tif 000035
【表７１】
0004926358.tif 000036
【表７２】
0004926358.tif 000037
この場合、補間されるか又は補外される値は、挙げられていない処方に当て嵌まる。
【図面の簡単な説明】
【図１】  ｘ座標に従う、非点収差の変化を示している。
【図２】  ｘ座標に従う、平均度数の変化を示している。
【図１】
0004926358.tif 000074
【図２】
0004926358.tif 000075